(57)【要約】【課題】切土法面や自然斜面において、岩盤などの崩壊対策に利用でき、表層部の安定度が高く、その斜面の全面緑化が可能で景観保全や自然環境との調和などの環境対策に利用できる。【解決手段】法面などの補強面に対して、土砂に繊維糸を混合した連続繊維補強土による連続繊維補強土工２を設ける連続繊維補強土工法において、この連続繊維補強土工２の上に敷設する網体４はこれを連続繊維補強土工２に差し込むピン８の頭部の鉤で係止する。ピン８は、合成樹脂製で、先端を尖り状とし、また、本体は中心から放射状に突出する縦リブ８ｂを設け、この縦リブ８ｂの側端に上向きの髭状突起８ｃを上下に間隔を存して形成した。【選択図】                図１
2004169289.tif 000002
【特許請求の範囲】
【請求項１】
法面などの補強面に対して、土砂に繊維糸を混合した連続繊維補強土による連続繊維補強土工を設ける連続繊維補強土工法において、この連続繊維補強土工の上に敷設する網体はこれを連続繊維補強土工に差し込むピンの頭部の鉤で係止することを特徴とした連続繊維補強土工法。
【請求項２】
ピンは、合成樹脂製で、先端を尖り状とし、また、本体は中心から放射状に突出する縦リブを設け、この縦リブの側端に上向きの髭状突起を上下に間隔を存して形成した請求項１記載の連続繊維補強土工法。
【請求項３】
ピンは、最頂部には打撃受け用の平坦部を形成して打ち込めるようにした請求項１または請求項２記載の連続繊維補強土工法。
【請求項４】
ピンは、螺旋に曲成した請求項１ないし請求項３のいずれかに記載の連続繊維補強土工法。
【請求項５】
ピンは、直線状を維持した形態で旋廻するひねりをかけた請求項１ないし請求項３のいずれかに記載の連続繊維補強土工法。
【請求項６】
ピンは、生分解性の材料をもって形成する請求項１ないし請求項４のいずれかに記載の連続繊維補強土工法。
【発明の詳細な説明】
【０００１】
【発明の属する技術分野】
本発明は、法面保護、擁壁築造、及び緑化工法に適用可能なものとして、連続した複数本の繊維と砂とを補強するべき施工個所に吹付ける連続繊維補強土工法に関するものである。
【０００２】
【従来の技術】
従来の法面保護工での切土工と、吹付け法枠工と、枠内緑化工と、間知ブロック工とを組み合わせた工法に代わるジオファイバー（登録商標名）と呼ばれる工法は、ロックボルト工と、連続繊維補強土工と、緑化工とを組み合わせる事によって、自然景観の保全と、作業の納期及び作業安全性で優れた近時の工法である。
【０００３】
連続繊維補強土工の施工は、下記特許文献１の従来技術の項でも記載してあるが、図１０に示すように、砂を供給する手段Ｓ１００と連続繊維を供給する手段Ｔ１００とによって構成した装置を使用する。
【０００４】
【特許文献１】
特開２００２−１２９５７１号公報
【０００５】
すなわち、一方で砂Ｓを計量器Ｓ１０２で計量され、エア圧で砂搬送装置Ｓ１０４から可撓性搬送チューブである圧送ホースＳ１０８によって搬送され、ノズルＳ１１０から吐出され、他方で繊維供給装置Ｔ１０２から繊維が供給されて砂の重量に対する一定の重量比でエジェクタＷＥからのジェット水により噴射ノズルＴ１０６から噴射され、砂に繊維を絡ませて補強土Ｈにしている。
【０００６】
このように使用する砂の０．１５〜０．２％（乾燥重量比）程度の連続繊維（マルチフィラメント無撚糸）をジェット水と一緒に噴射、砂と三次元的に混合することで、せん断強さを増加させ、より安定した強固な補強土Ｈ（土構造物）を構築することができる。
【０００７】
前記連続繊維補強土工では、前記のごとく連続繊維が三次元的に混合することによって砂質土に疑似粘着力と変形抵抗性とを持たせるものであるが、これを鉄筋やロックボルト等の棒状抵抗体を地山中に埋め込むことで地山自体の抵抗値を高めて構造的一体化を図る地山補強工と組み合わせて、地山表層面の安定化をはかり、さらに、その上には厚層基材を吹付けることで植生が可能となり、自然環境との調和を図って樹林化など質の高い植物社会を形成することができる。
【０００８】
【発明が解決しようとする課題】
しかしながら、前記従来の連続繊維補強土工法では、地山深部に対しては地山補強工によって安定を確保できるが、表層部の安定は十分ではない。
【０００９】
本発明の目的は前記従来例の不都合を解消し、切土法面や自然斜面において、岩盤などの崩壊対策に利用でき、表層部の安定度が高く、その斜面の全面緑化が可能で景観保全や自然環境との調和などの環境対策に利用できる連続繊維補強土工法を提供することにある。
【００１０】
【課題を解決するための手段】
本発明は前記目的を達成するため、第１に、法面などの補強面に対して、土砂に繊維糸を混合した連続繊維補強土による連続繊維補強土工を設ける連続繊維補強土工法において、この連続繊維補強土工の上に敷設する網体はこれを連続繊維補強土工に差し込むピンの頭部の鉤で係止することを要旨とするものである。
【００１１】
第２に、ピンは、合成樹脂製で、先端を尖り状とし、また、本体は中心から放射状に突出する縦リブを設け、この縦リブの側端に上向きの髭状突起を上下に間隔を存して形成したこと、第３に、ピンは、最頂部には打撃受け用の平坦部を形成して打ち込めるようにしたこと、第４に、ピンは、螺旋に曲成したこと、または、直線状を維持した形態で旋廻ひねりをかけたこと、第５に、ピンは、生分解性の材料をもって形成することを要旨とするものである。
【００１２】
請求項１記載の本発明によれば、敷設する金網等の網体はピンの頭部の鉤で係止することで簡単に連続繊維補強土工の上に固定でき、網体による補強工によって、表層部に対して安定性（従来の連続繊維複合補強土工法では達成出来なかった程度の表層部に対する安定性）が確保される。しかも繊維はこのピンを差し込まれることで流れ出すのを阻止され、繊維相互の絡みが強化され、安定性が増す。
【００１３】
また、全体の緑化が可能であり、その様な緑化を実施すれば、植物の根系が網体にからみ、地山に伸張するので、複合的に安定性が増す。さらに、網体は柔構造であり、連続繊維補強土も土と繊維との構成であるので変形追従性に優れている。
【００１４】
このようにして地山面は、まず、連続繊維補強土工で防護され、その上にある植生工が植物の生育に寄与するものとなる。
【００１５】
請求項２記載の本発明によれば、前記作用に加えて、ピンは、合成樹脂製であるので錆びず、軽いものであり、先端を尖り状としたので差込み易く、また、本体は横断断面十文字形など中心から放射状に突出する縦リブを設けたのでこの縦リブが補強として強度もあり、さらに、上向きの髭状突起が繊維と絡み、抜け易いものとなる。
【００１６】
請求項３記載の本発明によれば、ピンは、最頂部には打撃受け用の平坦部を形成して打ち込めるようにしたので簡単にこれを連続繊維補強土工に差し込むことが可能となる。
【００１７】
請求項４記載の本発明によれば、ピンは螺旋に曲成したことで連続繊維補強土工に螺旋を描いて差し込まれてより抜け難いものとなる。
【００１８】
請求項５記載の本発明によれば、ピンは直線状を維持した形態で旋廻するひねりをかけたのでこのひねりにより抜け難いものとなる。
【００１９】
請求項６記載の本発明によれば、地盤中に残置しても時間とともに分解するので、無害であり、環境に対する悪影響も少ない。
【００２０】
【発明の実施の形態】
以下、図面について本発明の実施例を詳細に説明する。図１は本発明の連続繊維補強土工法の１実施形態を示す縦断側面図で、図中１は保護形成面としての地山で、その上に連続繊維補強土工２を厚さ１５０ｍｍ程度に設ける。
【００２１】
連続繊維補強土工２は土砂に繊維糸を混合した連続繊維補強土によるもので、前記図１０に説明したように、砂を供給する手段Ｓ１００では砂（砂質土）Ｓが計量器Ｓ１０２で計量され、エア圧で砂搬送装置Ｓ１０４から可撓性搬送チューブＳ１０８によって搬送され、一方、連続繊維を供給する手段Ｔ１００では糸の供給装置Ｔ１０２から糸が供給されて砂の重量に対する一定の重量比でエジェクターＷＥからのジェット水により噴射ノズルＴ１０６から噴射され、砂の噴射と糸の噴射を合わせて砂に繊維を絡ませた補強土Ｈにする。
【００２２】
連続繊維補強土工２を施工するに際しては、図１、図９に示すように地山１に地山補強土工としてのプレート７ａ付きアンカー７を例えば５本／１０ｍ２程度の間隔で配設し、このプレート付きアンカー７のプレート７ａの周囲に連続繊維が絡みつくようにした。
【００２３】
なお、図示の例ではプレート付きアンカー７はこのプレート７ａを水平板状のものとしたが、縦板として羽根状のものとしてもよい。
【００２４】
また、前記連続繊維補強土工２の上にはさらに、植生工３（厚層基材吹付工、客土吹付工、植栽工等）を施して緑化を図るが、それに先立ち連続繊維補強土工２の上面に金網、合成樹脂製ネット等の網体４を敷設する。
【００２５】
前記網体４は、これを連続繊維補強土工２に差し込むピン８の頭部の鉤８ａで係止する。図２、３にピン８の概要を示すと、合成樹脂製で、先端を尖り状とし、また、本体は横断断面十文字形や人文字形として中心から放射状に突設する縦リブ８ｂを設け、この縦リブ８ｂの側端に上向きの髭状突起８ｃを上下に間隔を存して形成する。図４、図５に断面を示す。
【００２６】
さらにピン８の最頂部には打撃受け用の平坦部８ｄを形成して打ち込めるようにする。このピン８は例えば１８本／１０ｍ２程度の間隔で配設した。
【００２７】
ピン８は網体４を連続繊維補強土工２に敷設してから連続繊維補強土工２に差し込み、最終的に頭部の鉤８ａで網体４を係止する。このようにすれば、ピン８の髭状突起８ｃに連続繊維補強土工２の連続繊維が絡み付き、ピン８の抜け出しが防止できるとともに、網体４と連続繊維補強土工２がピン８を介して一体的に結合され、網体４による補強工によって、表層部に対して安定性が確保できる。
【００２８】
なお、植生工３を連続繊維補強土工２の上に施す場合は、網体４は連続繊維補強土工２の上に少し浮かして敷設し、植生工３の中に網体４が入り込むようにしてもよい。
【００２９】
他の実施形態として、ピン８は、図６に示すように、直線状を維持した形態で旋廻するひねり５をかけたものとすることができる。その場合、縦リブ８ｂはこれをそのまま残してひねり５をかけるようにしてもよい。縦リブ８ｂの側端に設けた上向きの髭状突起８ｃも存在させる。
【００３０】
ピン８はこのひねり５により抜け難いものとなる。
【００３１】
さらに、他の実施形態として、ピン８は、図７に示すように螺旋６に曲成したものとしてもよい。この螺旋６はピン８を差し込める程度に上昇または下降ながら伸びるものであり、その場合、縦リブ８ｂはこれをそのまま残して螺旋６に形成し、縦リブ８ｂの側端に設けた上向きの髭状突起８ｃも存在させる。
【００３２】
このようにピン８を螺旋６に曲成したことで連続繊維補強土工２に螺旋を描いて差し込まれてより抜け難いものとなる。
【００３３】
さらに、前記ピン８はこれを生分解性の材料をもって形成することもできる。ピン８は、ポリプロピレン、ポリカーボネートおよびポリスチレンのうちいずれか１つから成る熱可塑性を有する材料から成形する場合に、熱可塑性を有する樹脂に対して、少なくとも天然高分子樹脂と天然高分子化合物と鉱物とを含む生分解性材料から成るものとする。
【００３４】
このように、生分解性材料である天然高分子樹脂と天然高分子化合物とは土壌中において土壌微生物によって分解され、鉱物は元来、土壌中に含まれており、ピン８を地盤中の残置しても分解して消滅するので無害である。
【００３５】
さらに、ピン８を、熱可塑性を有する樹脂に、天然高分子樹脂、たとえばアセテート樹脂と天然高分子化合物、たとえば澱粉と鉱物、たとえば炭酸カルシウムとを含む生分解性材料から成るようにしてもよい。
【００３６】
ここでアセテート樹脂は、セルロースの水酸基を酢酸エチルでアセチル化して形成される樹脂である。熱可塑性を有する材料が前記生分解性材料から成るとき、射出成形条件として、成形機のノズルから射出される溶融した前記生分解性材料の温度は、１６０〜１７０℃程度に設定される。またこの生分解性材料は、吸水性が高いので、射出成形前に８０℃程度で５時間程度、予備乾燥される。前記生分解性材料の機械的性質は、引張強さが２．４４ｋｇ／ｍｍ２程度、曲げ強さが４．４０ｋｇ／ｍｍ２程度、アイゾット衝撃強さが３．２ｋｇ・ｃｍ／ｃｍ程度である。また前記生分解性材料の熱的性質は、熱変形温度が６１．９℃程度である。またメルトインデックスは、２７．５程度である。したがって前記生分解性材料は成形性がよく、充分な機械的強度を有するピン８を製造することができる。また天然高分子樹脂と天然高分子化合物は、土壌中において土壌微生物によって分解され、鉱物は元来、土壌中に含まれており、土壌中に散在しても無害である。
【００３７】
またピン８を構成する生分解性材料には、竹、木材などの天然素材から成る繊維が混合されていてもよい。ここで、繊維は竹繊維が用いられてもよい。したがってピン８は繊維によって強化され、ピンとして用いるために充分な機械的強度を有することができる。また繊維は、竹繊維から成るので、土壌中において土壌微生物によって分解される。
【００３８】
本発明の実施のさらに他の形態として、ピン８を構成する熱可塑性を有する材料は、パルプを主体とする天然高分子樹脂から成っていてもよい。このように構成することによって、前記天然高分子樹脂から成るピン８は土壌中において土壌微生物によって分解される。
【００３９】
【発明の効果】
以上述べたように本発明の連続繊維補強土工法は、切土法面や自然斜面において、岩盤などの崩壊対策に利用でき、表層部の安定度が高く、その斜面の全面緑化が可能で景観保全や自然環境との調和などの環境対策に利用できるものである。
【図面の簡単な説明】
【図１】本発明の連続繊維補強土工法の第１実施形態を示す縦断側面図である。
【図２】本発明の連続繊維補強土工法で使用するピンの第１例を示す斜視図である。
【図３】本発明の連続繊維補強土工法で使用するピンの第２例を示す斜視図である。
【図４】本発明の連続繊維補強土工法で使用するピンの第１例を示す断面図である。
【図５】本発明の連続繊維補強土工法で使用するピンの第２例を示す断面図である。
【図６】本発明の連続繊維補強土工法で使用するピンの第３例を示す斜視図である。
【図７】本発明の連続繊維補強土工法で使用するピンの第４例を示す正面図である。
【図８】本発明の連続繊維補強土工法の第２実施形態を示す縦断側面図である。
【図９】プレート付きアンカーの斜視図である。
【図１０】連続繊維による補強土工法の概要を示す説明図である。
【符号の説明】
１…地山                                                ２…連続繊維補強土工
３…植生工                                            ４…網体
５…ひねり                                            ６…螺旋
７…プレート付きアンカー                ７ａ…プレート
８…ピン                                                ８ａ…鉤
８ｂ…縦リブ                                        ８ｃ…髭状突起
８ｄ…平坦部
【図１】
2004169289.tif 000003
【図２】
2004169289.tif 000004
【図３】
2004169289.tif 000005
【図４】
2004169289.tif 000006
【図５】
2004169289.tif 000007
【図６】
2004169289.tif 000008
【図７】
2004169289.tif 000009
【図８】
2004169289.tif 000010
【図９】
2004169289.tif 000011
【図１０】
2004169289.tif 000012